(57)【要約】【課題】良好な原稿の読取が可能であるとともに、装置の小型化が可能となる画像読取装置を提供する。【解決手段】画像読取装置５は、原稿搬送部６から原稿が搬送される第１のコンタクトガラス１６１Ａと、原稿が載置される第２のコンタクトガラス１６１Ｂと、第１のコンタクトガラス１６１Ａと第２のコンタクトガラス１６１Ｂとの間に設けられ、第１のコンタクトガラス１６１Ａから原稿を離間させる原稿離間部材１６５と、第１のコンタクトガラス１６１Ａおよび第２のコンタクトガラス１６１Ｂの裏面側に副走査方向に移動可能に設けられた読取ユニット１６４と、第１のコンタクトガラス１６１Ａの裏面側に、第１のコンタクトガラス１６１Ａと原稿離間部材１６５との両方に跨って設けられ、読取ユニット１６４の移動をガイドするガイド部材１６６を備えている。【選択図】図５
2015106854.tif 000002
【特許請求の範囲】
【請求項１】
原稿搬送部と、
前記原稿搬送部から原稿が搬送される第１のコンタクトガラスと、
前記第１のコンタクトガラスとは別体であって、原稿が載置される第２のコンタクトガラスと、
前記第１のコンタクトガラスと前記第２のコンタクトガラスとの間に設けられ、前記原稿搬送部から前記第１のコンタクトガラスに搬送された原稿を前記第１のコンタクトガラスから離間させる原稿離間部材と、
前記第１のコンタクトガラスおよび前記第２のコンタクトガラスの裏面側に副走査方向に移動可能に設けられ、前記第１のコンタクトガラスに搬送された原稿および前記第２のコンタクトガラスに載置された原稿を読み取る読取ユニットと、
前記第１のコンタクトガラスの裏面側に、前記第１のコンタクトガラスと前記原稿離間部材との両方に跨って設けられ、前記読取ユニットの移動をガイドするガイド部材と、を備える画像読取装置。
【請求項２】
前記ガイド部材は、前記第１のコンタクトガラスおよび前記原稿離間部材の主走査方向の両端部に設けられ、
前記読取ユニットの前記第１のコンタクトガラスに対向する面の主走査方向の両端部には摺動部材が設けられ、前記読取ユニットは、当該摺動部材を介して前記ガイド部材と接している、請求項１に記載の画像読取装置。
【請求項３】
前記ガイド部材において前記読取ユニットが接する面および前記第２のコンタクトガラスにおいて前記読取ユニットが接する面は、略同一平面上に位置する、請求項１または請求項２に記載の画像読取装置。
【請求項４】
前記第１のコンタクトガラスの厚みは、前記第２のコンタクトガラスの厚みよりも小さい、請求項１乃至請求項３の何れか１項に記載の画像読取装置。
【請求項５】
前記ガイド部材は、前記読取ユニットが前記ガイド部材に接触して移動することにより変形しない剛性を有する、請求項１乃至請求項４の何れか１項に記載の画像読取装置。
【請求項６】
前記読取ユニットは、密着型イメージセンサーを有する、請求項１乃至請求項５の何れか１項に記載の画像読取装置。
【請求項７】
請求項１乃至請求項６の何れか１項に記載の画像読取装置を備える画像形成装置。
【発明の詳細な説明】
【技術分野】
【０００１】
本発明は、画像読取装置および画像形成装置に関し、特に、原稿の読取方式として原稿固定読取方式と原稿搬送読取方式とをともに具備する画像読取装置および画像形成装置に関する。
【背景技術】
【０００２】
原稿の読取方式には、原稿固定読取方式と原稿搬送読取方式の２つの方式がある。原稿固定読取方式は、コンタクトガラス上に載置された原稿をプラテンマット等により固定し、読取ユニットを副走査方向に移動させることで当該原稿を読み取る方式である。また、原稿搬送読取方式は、読取ユニットを予め定められた位置に固定して、読取ユニット上で原稿を搬送させながら読み取る方式である。上記の原稿固定読取方式と原稿搬送読取方式とをともに具備する画像読取装置では、コンタクトガラスが原稿固定読取用のコンタクトガラスと原稿搬送読取用のコンタクトガラスとの２枚に分けられており、そのガラス間に、読み取り終えた原稿をコンタクトガラスから離間させて排出するための原稿離間部材が設けられている。
【０００３】
一般に上記の読取ユニットには、主走査方向に延伸されたＣＩＳ（Contact Image Sensor）方式の読取センサーが用いられる。ＣＩＳ方式の読取センサーは、被写界深度が非常に浅いため、スライダー等の摺動部材を介してコンタクトガラスに密着されている。この摺動部材がガラス間の原稿離間部材に接する位置では、ＣＩＳ方式の読取センサーの姿勢が不安定になるため、良好な原稿の読取ができない。このため、原稿搬送読取時や白色基準部材の読取時に、摺動部材が原稿離間部材に接しないように構成する必要があり、画像読取装置が大型化してしまうという問題がある。この問題に対して、下記の特許文献１には、原稿離間部材をコンタクトガラスの裏面に対して突出しない構成とする画像読取装置が開示されている。この画像読取装置によれば、読取ユニットの移動が原稿離間部材により妨げられないため、画像読取装置を小型化することができる。
【先行技術文献】
【特許文献】
【０００４】
【特許文献１】特開２０１２−１５１５６９号公報
【発明の概要】
【発明が解決しようとする課題】
【０００５】
しかしながら、上記の特許文献１に開示される画像読取装置においても、原稿固定読取用のコンタクトガラスと原稿離間部材との間、および原稿搬送読取用のコンタクトガラスと原稿離間部材との間の２箇所に段差が存在してしまう。原稿搬送読取時や白色基準部材の読取時に、読取ユニットの摺動部材が上記の段差に接した場合、ＣＩＳ方式の読取センサーの姿勢が不安定になるため、良好な原稿の読取ができない。また、良好な原稿の読取を行うために、原稿搬送読取時や白色基準部材の読取時に読取ユニットが原稿搬送読取用のコンタクトガラスまたは原稿固定読取用のコンタクトガラスのみに接触するように構成した場合、画像読取装置が大型化してしまう。
【０００６】
本発明は上記の事情に鑑みなされたものであり、良好な原稿の読取が可能であるとともに、小型化が可能な画像読取装置および画像形成装置を提供することを目的とする。
【課題を解決するための手段】
【０００７】
本発明の一局面にかかる画像読取装置は、原稿搬送部と、前記原稿搬送部から原稿が搬送される第１のコンタクトガラスと、前記第１のコンタクトガラスとは別体であって、原稿が載置される第２のコンタクトガラスと、前記第１のコンタクトガラスと前記第２のコンタクトガラスとの間に設けられ、前記原稿搬送部から前記第１のコンタクトガラスに搬送された原稿を前記第１のコンタクトガラスから離間させる原稿離間部材と、前記第１のコンタクトガラスおよび前記第２のコンタクトガラスの裏面側に副走査方向に移動可能に設けられ、前記第１のコンタクトガラスに搬送された原稿および前記第２のコンタクトガラスに載置された原稿を読み取る読取ユニットと、前記第１のコンタクトガラスの裏面側に、前記第１のコンタクトガラスと前記原稿離間部材との両方に跨って設けられ、前記読取ユニットの移動をガイドするガイド部材と、を備える画像読取装置である。
【０００８】
また、本発明の他の一局面にかかる画像形成装置は、上記の画像読取装置を備える画像形成装置である。
【発明の効果】
【０００９】
本発明の一局面にかかる画像読取装置および画像形成装置によれば、良好な原稿の読取が可能であるとともに、装置の小型化が可能である。
【図面の簡単な説明】
【００１０】
【図１】本発明の一実施形態にかかる画像形成装置の構造を示す断面図である。
【図２】本発明の一実施形態にかかる画像読取装置および原稿搬送部の構造を示す断面図である。
【図３】本発明の一実施形態にかかる画像読取装置を示す上面図である。
【図４】本発明の一実施形態にかかるコンタクトガラスを示す下面図である。
【図５】（Ａ）は、原稿固定読取時における読取ユニット周りを示す側面図であり、（Ｂ）は、白色基準部材読取時における読取ユニット周りを示す側面図である。
【図６】比較例にかかる画像読取装置での原稿固定読取時における読取ユニット周りを示す側面図である。
【図７】（Ａ）は、読取ユニットを第２のコンタクトガラス側の端部に設けた構成において、白色基準部材の読取可能な範囲の左端に読取ユニットが位置する場合を示す側面図であり、（Ｂ）は、白色基準部材の読取可能な範囲の右端に読取ユニットが位置する場合を示す側面図である。
【図８】（Ａ）は、比較例にかかる画像読取装置で読取ユニットを第２のコンタクトガラス側の端部に設けた構成において、白色基準部材の読取可能な範囲の左端に読取ユニットが位置する場合を示す側面図であり、（Ｂ）は、白色基準部材の読取可能な範囲の右端に読取ユニットが位置するときを示す側面図である。
【発明を実施するための形態】
【００１１】
以下、本発明の一実施形態にかかる画像読取装置および画像形成装置について図面を参照して説明する。図１は、本発明の一実施形態にかかる画像形成装置１の構造を示す断面図である。
【００１２】
本発明の一実施形態にかかる画像形成装置１は、例えば、コピー機能、プリンター機能、スキャナー機能、およびファクシミリ機能等の複数の機能を兼ね備えた複合機である。画像形成装置１は、装置本体１１に、画像形成部１２、定着部１３、給紙部１４、操作部４７、原稿搬送部６、および画像読取装置５等を備えて構成されている。
【００１３】
操作部４７は、画像形成装置１が実行可能な各種動作および処理についてユーザーから画像形成動作実行指示や画像読取動作実行指示等の指示を受け付ける。
【００１４】
画像形成装置１が画像読取動作を行う場合、原稿搬送部６により搬送されてくる原稿、またはコンタクトガラス１６１に載置された原稿の画像を画像読取装置５が光学的に読み取り、画像データを生成する。画像読取装置５により生成された画像データは、内蔵ＨＤＤまたはネットワーク接続されたコンピューター等に保存される。
【００１５】
画像形成装置１が画像形成動作を行う場合は、画像読取動作により生成された画像データ、ネットワーク接続されたコンピューターから受信した画像データ、または内蔵ＨＤＤに記憶されている画像データ等に基づいて、画像形成部１２が、給紙部１４から給紙される記録媒体としての記録紙Ｐにトナー画像を形成する。画像形成部１２の画像形成ユニット１２Ｍ、１２Ｃ、１２Ｙ、および１２Ｂｋは、感光体ドラム１２１と、現像装置１２２と、トナーを収容するトナーカートリッジ（不図示）と、帯電装置１２３と、露光装置１２４と、１次転写ローラー１２６と、をそれぞれ備えている。
【００１６】
カラー印刷を行う場合、画像形成部１２のマゼンタ用の画像形成ユニット１２Ｍ、シアン用の画像形成ユニット１２Ｃ、イエロー用の画像形成ユニット１２Ｙおよびブラック用の画像形成ユニット１２Ｂｋは、それぞれに、画像データを構成するそれぞれの色成分からなる画像に基づいて、帯電、露光および現像の工程により感光体ドラム１２１上にトナー画像を形成し、トナー画像を１次転写ローラー１２６により、駆動ローラー１２５Ａおよび従動ローラー１２５Ｂに張架されている中間転写ベルト１２５上に転写させる。
【００１７】
中間転写ベルト１２５上に転写される各色のトナー画像は、転写タイミングを調整して中間転写ベルト１２５上で重ね合わされ、カラーのトナー画像となる。２次転写ローラー２１０は、中間転写ベルト１２５の表面に形成されたカラーのトナー画像を、中間転写ベルト１２５を挟んで駆動ローラー１２５Ａとのニップ部Ｎにおいて、給紙部１４から搬送路１９０を搬送されてきた記録紙Ｐに転写させる。この後、定着部１３が、記録紙Ｐ上のトナー画像を熱圧着により記録紙Ｐに定着させる。定着処理の完了したカラー画像形成済みの記録紙Ｐは、排出トレイ１５１に排出される。
【００１８】
図２は、本発明の一実施形態にかかる画像読取装置５および原稿搬送部６の構造を示す断面図である。図３は、本発明の一実施形態にかかる画像読取装置５を示す上面図である。
【００１９】
原稿搬送部６は、原稿が載置される原稿載置台６１と、画像読み取り済みの原稿が排出される原稿排出部６６と、原稿搬送機構６５と、を備えている。原稿搬送機構６５は、給紙ローラー６１３、搬送ローラー６１５、分離コロ６１７、および排紙ローラー６１８を備えている。原稿搬送機構６５は、一対に配設された給紙ローラー６１３と分離コロ６１７とにより、原稿載置台６１に載置された複数の原稿Ｓを１枚ずつ繰り出し、当該繰り出した原稿を搬送ローラー６１５により後述する第１のコンタクトガラス１６１Ａに向けて搬送する。第１のコンタクトガラス１６１に搬送された原稿は、後述する読取ユニット１６４により読み取られる。原稿搬送機構６５は、排紙ローラー６１８により、画像読み取り済みの原稿を原稿排出部６６へ排出する。
【００２０】
画像読取装置５は、原稿の読取方式として原稿搬送読取方式と原稿固定読取方式とをともに具備する。図３に示すように、画像読取装置５の筐体５１の上面開口には、第１のコンタクトガラス１６１Ａおよび第２のコンタクトガラス１６１Ｂを有するコンタクトガラス１６１が装着されている。第１のコンタクトガラス１６１Ａは、原稿搬送読取用のコンタクトガラスであって、原稿搬送部６から原稿が搬送される。第２のコンタクトガラス１６１Ｂは、原稿固定読取用のコンタクトガラスであって、原稿が載置される。第２のコンタクトガラス１６１Ｂの上方には、開閉自在の原稿押さえ部材１６２が設けられており、当該原稿押さえ部材１６２により第２のコンタクトガラス１６１Ｂに載置された原稿が固定される。
【００２１】
コンタクトガラス１６１の原稿が載置される面（表面）とは反対側の面（裏面）側には、副走査方向に移動可能に設けられた読取ユニット１６４が設けられている。当該読取ユニット１６４は、主走査方向に延伸されたＣＩＳ（Contact Image Sensor）方式の読取センサーを内蔵している。ＣＩＳ（Contact Image Sensor）方式の読取センサーは、被写界深度が非常に浅いため、読取ユニット１６４は、スライダー１６７（図５（Ａ）、図５（Ｂ）参照）を介して、コンタクトガラス１６１に密着されている。
【００２２】
原稿固定読取では、読取ユニット１６４が副走査方向に往復移動して、第２のコンタクトガラス１６１Ｂに載置された原稿を読み取る。一方、原稿搬送読取では、読取ユニット１６４を第１のコンタクトガラス１６１Ａの裏面における予め定められた位置に固定して、原稿搬送部６により第１のコンタクトガラス１６１Ａに向けて搬送された原稿を読み取る。
【００２３】
読取ユニット１６４は、例えば、赤、緑、青の３色のＬＥＤ（Light Emitting Diode）の光を切り替えながら読取対象の原稿に投射し、当該原稿からの反射光をＣＭＯＳ（Complementary Metal Oxide Semiconductor）イメージセンサーにより受光する。ＣＭＯＳイメージセンサーは、上記の入射光を電気信号へ変換して、主走査方向の１ライン分の画像データを取得する。当該画像データは、画像形成装置１に内蔵されたＡ／Ｄ変換部によってディジタル信号化された後、さらにシェーディング補正、ガンマ補正、色収差補正、ＭＴＦ（Modulation Transfer Function）補正およびスキャナー色補正等の様々な画像処理が施される。そして、当該画像処理により生成された画像データは、画像形成装置１に内蔵された画像メモリーやＨＤＤに記憶される。
【００２４】
続いて、画像読取装置５のコンタクトガラス１６１周りの構成について更に説明する。図４は、本発明の一実施形態にかかるコンタクトガラス１６１を示す下面図である。図５（Ａ）は、原稿固定読取時における読取ユニット１６４周りを示す側面図であり、図５（Ｂ）は、白色基準部材読取時における読取ユニット１６４周りを示す側面図である。
【００２５】
第１のコンタクトガラス１６１Ａと第２のコンタクトガラス１６１Ｂとの間には、原稿離間部材１６５が設けられている。原稿離間部材１６５には、基部１６５１から突出した傾斜部１６５２が形成されており、当該傾斜部１６５２により原稿搬送部６から第１のコンタクトガラス１６１Ａに搬送された原稿が第１のコンタクトガラス１６１Ａから離間される。また、原稿離間部材１６５には、シェーディング補正用の白色基準部材１６８を第２のコンタクトガラス１６１Ｂ上の予め定められた位置に固定するための固定部材１６５３が形成されている。
【００２６】
原稿離間部材１６５の基部１６５１の裏面および第１のコンタクトガラス１６１Ａの裏面の主走査方向の両端部には、第１のコンタクトガラス１６１Ａおよび原稿離間部材１６５の両方に跨って読取ユニット１６４の移動をガイドするガイド部材１６６が設けられている。当該ガイド部材１６６は、読取ユニット１６４がガイド部材１６６に接触して移動することにより変形しない剛性を有する鋼鉄等の部材で構成されている。これにより、読取ユニット１６４を長期間安定した姿勢で移動させることができ、良好な原稿の読取が可能となる。
【００２７】
読取ユニット１６４のコンタクトガラス１６１に対向する面の主走査方向の両端部にはスライダー１６７（摺動部材）が設けられている。当該スライダー１６７は、第１の突起１６７Ａと第２の突起１６７Ｂとが形成されている。図４中の点線Ｍは、このスライダー１６７が接触する位置を示す。原稿固定読取において、読取ユニット１６４は、スライダー１６７の第１の突起１６７Ａと第２の突起１６７Ｂとが、第２のコンタクトガラス１６１Ｂの裏面の主走査方向の両端部に接触した状態で、副走査方向に往復移動する。また、白色基準部材１６８の読取時においては、読取ユニット１６４は、スライダー１６７の第１の突起１６７Ａと第２の突起１６７Ｂとが、第２のコンタクトガラス１６１Ｂの裏面の主走査方向の両端部に接触した状態で、第２のコンタクトガラス１６１Ｂ上の予め定められた位置に移動する。白色基準部材１６８に汚れやごみの付着があった場合であっても適切な白色基準を取得できるようにするため、読取ユニット１６４は、この予め定められた位置から往復移動して、白色基準部材１６８を予め定められた長さ分だけ読み取る。
【００２８】
一方、原稿搬送読取時において、読取ユニット１６４は、予め定められた位置に固定される。このとき、読取ユニット１６４の読取光軸Ｏ１が、原稿搬送読取における原稿の読み取り位置（原稿搬送読取位置）Ｐ２を通る。第１のコンタクトガラス１６１Ａと原稿離間部材１６５とは、別部材で構成されているため、第１のコンタクトガラス１６１Ａと原稿離間部材１６５との間には段差Ａが存在している。また同様に、第２のコンタクトガラス１６１Ｂと原稿離間部材１６５との間には段差Ｂが存在している。第１のコンタクトガラス１６１Ａと原稿離間部材１６５との両方に跨るガイド部材１６６を備えない従来の画像読取装置においては、原稿搬送読取時において、スライダー１６７の第１の突起１６７Ａと第２の突起１６７Ｂとが、段差Ａに接した場合、ＣＩＳ方式の読取センサーの姿勢が不安定になるため、良好な原稿の読取ができない。この点、本発明の一実施形態にかかる画像読取装置５および画像形成装置１では、第１のコンタクトガラス１６１Ａと原稿離間部材１６５との両方に跨ってガイド部材１６６が設けられているため、原稿搬送読取時において、スライダー１６７の第１の突起１６７Ａと第２の突起１６７Ｂとが段差Ａに接することがない。
【００２９】
また、図５（Ａ）および図５（Ｂ）に示すように、ガイド部材１６６の読取ユニット１６４が接する面および第２のコンタクトガラス１６１Ｂの読取ユニット１６４が接する面が、略同一平面上に位置するように、第１のコンタクトガラス１６１Ａの厚み、第２のコンタクトガラス１６１Ｂの厚み、およびガイド部材１６６の厚みが設定されている。このように各部材の厚みを設定することで段差Ｂの大きさを小さくすることができ、読取ユニット１６４が移動した際にその姿勢が不安定になり難い。また、読取ユニット１６４が段差Ｂを通過時にスライダー１６７が摩耗することを軽減させることができる。
【００３０】
また、第１のコンタクトガラス１６１Ａの厚みは、第２のコンタクトガラス１６１Ｂの厚みよりも小さくなるように設計されている。このため、原稿と読取ユニット１６４との間にガイド部材１６６を設けた本実施の形態にかかる画像読取装置５の構成であっても、ＣＩＳ方式の読取センサーの焦点位置がずれ、読取センサーのピント性能が低下する影響を低減することができる。
【００３１】
図６は、比較例にかかる画像読取装置５ａでの原稿固定読取時における読取ユニット１６４周りを示す側面図である。比較例にかかる画像読取装置５ａは、ガイド部材１６６が設けられていない点、および第１のコンタクトガラス２６１Ａの厚みが本実施の形態にかかる画像読取装置５の第１のコンタクトガラス１６１Ａの厚みよりも大きく、第２のコンタクトガラス１６１Ｂの厚みと略同一の大きさである点において異なる。
【００３２】
図５（Ａ）に示すように、本実施の形態にかかる画像読取装置５では、原稿離間部材１６５と第２のコンタクトガラス１６１Ｂとの境界位置Ｐ１まで、スライダー１６７の第２の突起１６７Ｂを近づけることができ、読取姿勢が安定した状態で読取ユニット１６４を移動させることができる。このため、原稿搬送読取における原稿の読み取り位置（原稿搬送読取位置）Ｐ２を、境界位置Ｐ１の付近に設けることができる。これにより、第１のコンタクトガラス１６１Ａの大きさを小さくすることができ、画像読取装置５を小型化することができる。
【００３３】
一方、図６に示すように、比較例にかかる画像読取装置５ａでは、第１のコンタクトガラス１６１Ａと原稿離間部材１６５との境界位置までしか、スライダー１６７の第２の突起１６７Ｂを近づけることができない。このため、原稿搬送読取位置Ｐ３を、境界位置Ｐ１の付近に設けることができない。これにより、第１のコンタクトガラス１６１Ａの大きさが大きくなり、画像読取装置５が大型になる。
【００３４】
本実施の形態にかかる画像読取装置５の原稿搬送読取位置Ｐ２は、比較例にかかる画像読取装置５ａの原稿搬送読取位置Ｐ３よりも、原稿離間部材１６５の基部１６５１の長さ分だけ境界位置Ｐ１側に近づけることができる。
【００３５】
上記の図５（Ａ）および図５（Ｂ）に示す例では、読取ユニット１６４の読取光軸Ｏ１が、第１のコンタクトガラス１６１Ａ側の端部に設けられている場合を説明した。しかしながら、読取ユニット１６４に内蔵されたＣＩＳ方式の読取センサーの構造によっては、読取ユニット１６４の読取光軸Ｏ１が、読取ユニット１６４の中央部や、第２のコンタクトガラス１６１Ｂ側の端部に設けられている場合がある。この場合において、第１のコンタクトガラス１６１Ａと原稿離間部材１６５との両方に跨るガイド部材１６６を設けない構成をとったとき、シェーディング補正用の白色基準部材を安定した姿勢で読み取ることが難しく、安定した姿勢で読み取るためには白色基準部材を大きくする必要がある。以下では、読取ユニット１６４の読取光軸Ｏ１が、第２のコンタクトガラス１６１Ｂ側の端部に設けられている場合について説明する。
【００３６】
図７（Ａ）は、読取ユニット１６４を第２のコンタクトガラス１６１Ｂ側の端部に設けた構成において、白色基準部材１６８の読取可能な範囲の左端に読取ユニット１６４が位置する場合を示す側面図である。図７（Ｂ）は、白色基準部材１６８の読取可能な範囲の右端に読取ユニット１６４が位置するときを示す側面図である。
【００３７】
前述の通り、白色基準部材１６８に汚れやごみの付着があった場合であっても適切な白色基準を取得できるようにするため、読取ユニット１６４は、白色基準部材１６８の読取時に往復移動して、白色基準部材１６８を予め定められた長さ分だけ読み取る必要がある。図７（Ａ）および図７（Ｂ）に示すように、本実施の形態にかかる画像読取装置５では、スライダー１６７の第１の突起１６７Ａをガイド部材１６６に接触させ、かつ、スライダー１６７の第２の突起１６７Ｂを第２のコンタクトガラス１６１Ｂに接触させて、読取ユニット１６４を移動させることで、白色基準部材１６８を予め定められた長さ分だけ読み取ることができる。このため、原稿離間部材１６５と第２のコンタクトガラス１６１Ｂとの境界位置Ｐ１に近い位置に、白色基準部材１６８の読取可能な範囲の左端および右端を設けることができる。このため、本実施形態にかかる画像読取装置５では、読取ユニット１６４を第２のコンタクトガラス１６１Ｂ側の端部に設けた場合であっても、白色基準部材１６８の長さＸ３が大きくなり難く、画像読取装置５を小型化することができる。
【００３８】
図８（Ａ）は、比較例にかかる画像読取装置５ａで読取ユニット１６４を第２のコンタクトガラス１６１Ｂ側の端部に設けた構成において、白色基準部材１６８の読取可能な範囲の左端に読取ユニット１６４が位置するときを示す側面図である。図８（Ｂ）は、白色基準部材１６８の読取可能な範囲の右端に読取ユニット１６４が位置するときを示す側面図である。
【００３９】
比較例にかかる画像読取装置５ａでは、スライダー１６７の第１の突起１６７Ａおよび第２の突起１６７Ｂをともに第２のコンタクトガラス１６１Ｂに接触させて、読取ユニット１６４を移動させることで、白色基準部材２６８を予め定められた長さ分だけ読み取る必要がある。この場合、スライダー１６７の第１の突起１６７Ａを、原稿離間部材１６５と第２のコンタクトガラス１６１Ｂとの境界位置Ｐ１より左側に移動させることができないため、図８（Ａ）および図８（Ｂ）に示すように、境界位置Ｐ１から遠い位置に白色基準部材２６８の読取可能な範囲の左端および右端が設けられる。このため、比較例にかかる画像読取装置５ａでは、読取ユニット１６４を第２のコンタクトガラス１６１Ｂ側の端部に設けた場合、白色基準部材２６８の長さＸ４が大きくなる。また、白色基準部材２６８の長さＸ４が大きくなるのにともない、原稿離間部材２６５の固定部材２６５３の大きさも大きくなる。このため、画像読取装置５ａが大型になる。
【００４０】
以上説明したように、上記の実施の形態にかかる画像読取装置５では、第１のコンタクトガラス１６１Ａの裏面側に、第１のコンタクトガラス１６１Ａと原稿離間部材１６５との両方に跨って設けられ、読取ユニット１６４の移動をガイドするガイド部材１６６を備えている。
【００４１】
上記の構成によれば、良好な原稿の読取が可能であるとともに、画像読取装置５の小型化が可能である。
【符号の説明】
【００４２】
１        画像形成装置
５        画像読取装置
６        原稿搬送部
１２      画像形成部
５１      筐体
６１      原稿載置台
６５      原稿搬送機構
６６      原稿排出部
１６１    コンタクトガラス
１６１Ａ  第１のコンタクトガラス
１６１Ｂ  第２のコンタクトガラス
１６２    原稿押さえ部材
１６４    読取ユニット
１６５    原稿離間部材
１６６    ガイド部材
１６７    スライダー
１６７Ａ  第１の突起
１６７Ｂ  第２の突起
１６８    白色基準部材
１６５１  基部
１６５２  傾斜部
１６５３  固定部材
【図１】
2015106854.tif 000003
【図２】
2015106854.tif 000004
【図３】
2015106854.tif 000005
【図４】
2015106854.tif 000006
【図５】
2015106854.tif 000007
【図６】
2015106854.tif 000008
【図７】
2015106854.tif 000009
【図８】
2015106854.tif 000010